(57)【要約】      （修正有）【課題】肌に低刺激で装着でき、微生物が付着した小さな粒子を捕捉することができ、さらに多種多様なデザインに対応でき、かつ快適に再利用可能なマスクを提供する。【解決手段】マスク本体１１０が洗浄により再利用可能な生地である洗浄再利用可能生地からなり、洗浄再利用可能生地からなるカバー部１２０によりマスク本体の内側が覆われて、上下高さ方向の端辺が閉口され、左右幅方向の端辺が開口された開口部１２１を有し、開口部からマスク本体とカバー部との間に交換可能に微生物を含む粒子を捕捉可能な不織布マスク２００が不織布マスク収容部１２３に収容される。【選択図】図１
0003227229.tif 000002
【実用新案登録請求の範囲】
【請求項１】
洗浄により再利用可能な生地である洗浄再利用可能生地からなるマスク本体部と、
前記洗浄再利用可能生地からなるカバー部により前記マスク本体部の内側が覆われて、上下高さ方向の端辺が閉口されることで左右幅方向の端辺が開口された開口部を有し、前記開口部から前記マスク本体部と前記カバー部との間に交換可能に微生物を含む粒子を捕捉可能な不織布フィルターが収容される不織布フィルター収容部と、
を備えることを特徴とする再利用可能マスク。
【請求項２】
前記不織布フィルターは、
弾性変形が可能で変形前後の形状を保持し、幅方向に渡って設けられた形状保持部材、  を備えることを特徴とする請求項１記載の再利用可能マスク。
【請求項３】
前記開口部から前記不織布フィルターの左右幅方向の一端側が、前記形状保持部材を軸材として収容されること、
を特徴とする請求項２記載の再利用可能マスク。
【請求項４】
前記不織布フィルターは、
幅方向にわたって外折部と内折部とを有する複数のひだ部と、
を備えることを特徴とする請求項１記載の再利用可能マスク。
【請求項５】
前記不織布フィルター収容部は、
収容された前記不織布フィルターが有する前記複数のひだ部を広げることが可能な高さ、
を備えることを特徴とする請求項４記載の再利用可能マスク。
【請求項６】
前記洗浄再利用可能生地は、
織物生地であること、
を特徴とする請求項１記載の再利用可能マスク。
【請求項７】
前記織物生地は、
ガーゼ生地であること、
を特徴とする請求項６記載の再利用可能マスク。
【請求項８】
前記マスク本体部は、
前記開口部よりも左右幅方向外側に突出した持ち代部、
を備えることを特徴とする請求項１記載の再利用可能マスク。
【請求項９】
前記マスク本体部は、
装着者の肌に紫外線が到達しないようにするための紫外線通過防止手段、
を備えることを特徴とする請求項１記載の再利用可能マスク。
【請求項１０】
前記マスク本体部の外側面に、広告を表示するための広告表示部、
を備えることを特徴とする請求項１記載の再利用可能マスク。
【請求項１１】
前記不織布フィルターは、
不織布マスクであることを特徴とする請求項１記載の再利用可能マスク。
【請求項１２】
洗浄により再利用可能な生地である洗浄再利用可能生地からなるマスク本体部と、
微生物を含む粒子を捕捉可能な不織布フィルターと、
前記洗浄再利用可能生地からなるカバー部により前記マスク本体部の内側が覆われて、上下高さ方向の端辺が閉口されることで左右幅方向の端辺が開口された開口部を有し、前記不織布フィルターが前記開口部から前記マスク本体部と前記カバー部との間に交換可能に収容される不織布フィルター収容部と、
を備えることを特徴とするマスク。
【考案の詳細な説明】
【技術分野】
【０００１】
本考案は、再利用可能マスク、およびマスクに関し、特に装着者の顔の一部に装着される再利用可能マスク、およびマスクに関する。
【背景技術】
【０００２】
従来から、防寒対策、花粉症対策、風邪対策などのために顔の一部や顔全体に被るマスクが使われており、マスクは材質によって大別するとガーゼタイプと不織布タイプとに分けられる。
【０００３】
ガーゼタイプのマスクは、一般にガーゼと呼ばれる平織りされた綿繊維を重ね合わせたマスク本体部と、マスク本体部の幅方向の両側にそれぞれに設けられて装着者Ｕの耳にかけられる掛け紐とを備えている。
【０００４】
装着者Ｕは、掛け紐を耳にかけることで、マスク本体部が装着者Ｕの鼻部と口部とを覆うようにして、マスクを装着することができる。これにより装着者Ｕは、咳やくしゃみをした際に、口や鼻から出る飛沫の飛散を防止することができる。
【０００５】
このガーゼタイプのマスクは、洗濯など洗浄することで何回も再利用できるので、経済的である。また後述するような使い捨てマスクと異なりゴミが発生しないため環境に優しい。
【０００６】
さらにガーゼと呼ばれる綿繊維は、甘撚りの糸でゆるく編成される生地であるため、やわらかく装着者Ｕの肌への刺激が少ない。また綿繊維を重ね合わせることで、生地と生地との間に空気の層が形成されるので、肌ざわりが非常にやわらかく快適にマスクを装着することができる。
【０００７】
ところが、このガーゼタイプのマスクは前述のように、甘撚りの糸でゆるく編成されたガーゼで形成するため、生地を形成する繊維と繊維との間が大きく、非常に小さい粒子である花粉や、さらにウイルスや細菌などの微生物を含む小さな粒子を簡単に通過させてしまう問題がある。このためガーゼタイプのマスクは、世界保健機関で医療従事者の使用を推奨していない。
【０００８】
一方で、不織布タイプのマスクは、繊維を織らずに機械や化学反応などを用いて絡み合わせたシート状の生地である不織布で構成される。不織布は繊維の絡み合わせ方で、容易に厚みや空隙を調節できるため、空隙を小さくすることでウイルスや細菌などの微生物を含む小さな粒子を捕捉することができる。
【０００９】
また不織布は安価に大量生産が可能であるため、不織布を用いた不織布マスクは、医療現場だけでなく一般家庭でも使い捨てマスクとして利用されている（たとえば、特許文献１参照）。
【先行技術文献】
【特許文献】
【００１０】
【特許文献１】特開２０２０−４１２５４号公報
【考案の概要】
【考案が解決しようとする課題】
【００１１】
しかし、不織布マスクは前述のように繊維を絡み合わせてシート状にした生地であるため、絡み合った繊維の端が肌に擦れることで、肌に刺激を与えてしまう問題があった。このため不織布マスクを使用することで、肌が赤くなってしまったり、痒くなったりしてしまうことがある。
【００１２】
また空隙の小さな不織布タイプのマスクは、装着者Ｕが吐いた息が水蒸気となり、マスク内に充満することで、肌がふやけてしまい、やがて皮膚の一番上にある角質層の構造が乱れることで、肌深部に蓄えられた水分が蒸発し、肌が乾燥してしまう問題もある。
【００１３】
また不織布タイプのマスクは、前述のように大量生産が可能であるため、使い捨てマスクとして利用されるが、大量生産が可能なように色や形状が同一のマスクが多く、たとえば食事時にマスクを外してテーブルに置いてしまうと、他人のマスクと区別ができなくなる問題もある。
【００１４】
また現在、問題となっている２０１９年コロナウイルス感染症大流行では、不織布タイプの使い捨てマスクが大量に消費され、医療機関でさえ一人あたり１週間で１枚しか使用できないなどマスク不足が問題となっている。この状況下でウイルスから身を守るには１枚の使い捨てマスクを１週間も使用しなくてはならない。
【００１５】
ところが、使い捨てマスクを長期間使用すると、汚れが付着してしまう問題がある。具体的には、装着者Ｕが口紅や化粧を施している場合、その口紅や化粧がマスクに色移りして汚してしまうことで不快感が増加してしまい、長期間の使用を困難にさせていた。
【００１６】
本考案はこのような点に鑑みてなされたものであり、肌に低刺激で装着でき、微生物が付着した小さな粒子を捕捉することができ、さらに多種多様なデザインに対応でき、かつ快適に再利用可能な再利用可能マスク、およびマスクを提供することを目的とする。
【課題を解決するための手段】
【００１７】
本考案では上記問題を解決するために、洗浄により再利用可能な生地である洗浄再利用可能生地からなるマスク本体部と、前記洗浄再利用可能生地からなるカバー部により前記マスク本体部の内側が覆われて、上下高さ方向の端辺が閉口されることで左右幅方向の端辺が開口された開口部を有し、前記開口部から前記マスク本体部と前記カバー部との間に交換可能に微生物を含む粒子を捕捉可能な不織布フィルターが収容される不織布フィルター収容部とを備えることを特徴とする再利用可能マスクが提供される。
【００１８】
これにより、マスク本体部が洗浄により再利用可能な生地である洗浄再利用可能生地からなり、洗浄再利用可能生地からなるカバー部によりマスク本体部の内側が覆われて、上下高さ方向の端辺が閉口されることで左右幅方向の端辺が開口された開口部を有し、開口部からマスク本体部とカバー部との間に交換可能に微生物を含む粒子を捕捉可能な不織布フィルターが不織布フィルター収容部に収容される。
【００１９】
また、本考案では、洗浄により再利用可能な生地である洗浄再利用可能生地からなるマスク本体部と、微生物を含む粒子を捕捉可能な不織布フィルターと、前記洗浄再利用可能生地からなるカバー部により前記マスク本体部の内側が覆われて、上下高さ方向の端辺が閉口されることで左右幅方向の端辺が開口された開口部を有し、前記不織布フィルターが前記開口部から前記マスク本体部と前記カバー部との間に交換可能に収容される不織布フィルター収容部とを備えることを特徴とするマスクが提供される。
【００２０】
これにより、マスク本体部が洗浄により再利用可能な生地である洗浄再利用可能生地からなり、洗浄再利用可能生地からなるカバー部によりマスク本体部の内側が覆われて、上下高さ方向の端辺が閉口されることで左右幅方向の端辺が開口された開口部を有し、開口部からマスク本体部とカバー部との間に交換可能に微生物を含む粒子を捕捉可能な不織布フィルターが不織布フィルター収容部に収容される。
【考案の効果】
【００２１】
本考案の再利用可能マスク、およびマスクによれば、不織布フィルターが洗浄により再利用可能な生地である洗浄再利用可能生地からなるマスク本体部と洗浄再利用可能生地からなるカバー部とで形成された不織布フィルター収容部に収容されるので、不織布フィルターが装着者に触れることがなくなり、装着者の肌に与える刺激を低減することができる。
【００２２】
また、不織布フィルター収容部に不織布フィルターが収容されるので、洗浄再利用可能生地からなるマスク本体部だけでは捕捉できなかったウイルスや細菌などの微生物が付着した小さな粒子を捕捉することができる。
【００２３】
また、不織布フィルター収容部に不織布フィルターが交換可能に収容されるので、装着者の好みにあったデザインのマスク本体部を選択することができ、他人のマスクとの識別を可能にし、デザイン性を向上することができる。
【００２４】
また、洗浄により再利用可能な生地である洗浄再利用可能生地からなるマスク本体部とカバー部との間に不織布フィルターが収容されるので、不織布フィルターが装着者に触れることがないため汚れることがなく、装着者に触れるカバー部やマスク本体部は洗浄することで快適に再利用することができるので、快適にマスクを使用することができる。
【図面の簡単な説明】
【００２５】
【図１】本実施の形態に係るガーゼマスクの外観を示す正面図である。
【図２】本実施の形態のガーゼマスクの外観を示す正面図である。
【図３】本実施の形態の不織布マスクの一例を示す正面図である。
【図４】不織布マスク収容部に不織布マスクを収容する様子を示す正面図である。
【図５】不織布マスクを収容したガーゼマスクを装着した様子を示す斜視図である。
【考案を実施するための形態】
【００２６】
以下、本考案の実施の形態を、図面を参照して詳細に説明する。
図１は、本実施の形態に係るガーゼマスクの外観を示す正面図である。
図１に示すようにガーゼマスク１００は、マスク本体１１０、カバー部１２０、掛け紐１３０を備えている。
【００２７】
マスク本体１１０は綿繊維を重ね合わせたガーゼで形成されており、マスク本体１１０には、左右幅方向の両端側にそれぞれ装着者Ｕの耳に掛けられる掛け紐１３０が取り付けられている。
【００２８】
また、マスク本体１１０のうち装着者Ｕと接する側にあたる内側には、カバー部１２０を備えている。カバー部１２０は、マスク本体１１０と同様のガーゼで形成され、マスク本体１１０とほぼ同じ形状で形成される。
【００２９】
マスク本体１１０とカバー部１２０とは上下高さ方向の両端部で縫製によって、またはマスク本体１１０とカバー部１２０とを連続して一体に形成することによって閉口されている。
【００３０】
これによりカバー部１２０の左右幅方向には開口部１２１が形成され、マスク本体１１０とカバー部１２０との間に後述する不織布マスク２００を収容するための不織布マスク収容部１２３が形成される。
【００３１】
不織布マスク２００は、いわゆる一般に市販されている使い捨てマスクであり、ウイルスや細菌などの微生物を含む小さな粒子を捕捉することが可能な厚みや空隙で繊維が絡み合わされた不織布で形成されたマスクである。
【００３２】
この不織布マスク２００を不織布マスク収容部１２３に収容した状態のガーゼマスク１００を装着者Ｕが装着する。これにより、不織布マスク収容部１２３に収容された不織布マスク２００がウイルスや細菌などの微生物を含む小さな粒子を捕捉することができる。
【００３３】
つまりガーゼマスク１００だけでは、前述のように微生物を含む小さな粒子を捕捉することができないが、微生物を含む小さな粒子を捕捉することができる不織布マスク２００を不織布マスク収容部１２３に収容することで、ガーゼマスク１００は微生物を含む小さな粒子を捕捉することができる。
【００３４】
また肌に刺激を与えてしまう不織布マスク２００と装着者Ｕとの間には、ガーゼで形成されたカバー部１２０が介在されている。このため不織布マスク２００が直接的に装着者Ｕに触れることがない。これにより微生物の捕捉性能を有したまま、装着者Ｕの肌への刺激性を抑制することができる。
【００３５】
またガーゼマスク１００は、洗濯など洗浄することで何回も再利用できるので、ガーゼマスク１００を複数枚使用することで、洗い替えをしながら１枚の不織布マスク２００を繰り返して使用することができる。このため使い捨てマスクとして使用されていた不織布マスク２００を再利用して複数回使用することができる。
【００３６】
また不織布マスク２００が直接的に装着者Ｕに触れることがないので口紅や化粧などで汚れることがない。直接的に装着者Ｕに触れるガーゼマスク１００は洗い替えができるので、不織布マスク２００を再利用して複数回使用することができ、不織布マスク２００の消費量を抑制することができる。
【００３７】
洗い替えが可能であるガーゼマスク１００のデザインや模様を複数種類用意することで、装着者Ｕの好みにあったデザインや模様のガーゼマスク１００を選択することができる。
【００３８】
これにより、従来の使い捨てマスクである不織布マスク２００が同じようなデザインが多いため、他人の不織布マスク２００と識別することが困難であったが、不織布マスク２００をガーゼマスク１００に収容するだけで、デザインや模様の違いにより容易に他人のマスクと識別することができる。
【００３９】
なお、ガーゼマスク１００に施されるデザインや模様は広告表示として適用することもでき、広告が表示される広告表示部をガーゼマスク１００の前面に備えることで、装着者Ｕがマスクを装着するだけで周囲に広告を表示することができる。
【００４０】
図２は、本実施の形態のガーゼマスクの外観を示す正面図である。
図２に示すようにガーゼマスク１００は、マスク本体１１０、カバー部１２０、掛け紐１３０を備えている。
【００４１】
不織布マスク２００を収容するための不織布マスク収容部１２３の開口部１２１は、カバー部１２０の左右幅方向の端部がほつれてこないように、カバー部１２０の左右幅方向の端辺が内側に折り返されて縫製される折返部１２１Ａが形成され補強されている。これにより、ガーゼマスク１００に不織布マスク２００を複数回収容しても、カバー部１２０の左右幅方向の端部がほつれることがない。
【００４２】
またカバー部１２０の幅をマスク本体１１０よりも短くすることで、マスク本体１１０の左右方向の端部には、カバー部１２０よりも左右両端側にマスク本体１１０が突出した持ち代部１１１が形成される。
【００４３】
装着者Ｕは、この持ち代部１１１を前面に押し込むことで、カバー部１２０をマスク本体１１０から離脱させ、マスク本体１１０とカバー部１２０との間に隙間を形成することができる。
【００４４】
この隙間に不織布マスク２００の端部を差し込み、不織布マスク２００全体を不織布マスク収容部１２３に挿入することで、容易に不織布マスク２００を不織布マスク収容部１２３に収容することができる。
【００４５】
また、マスク本体１１０、またはカバー部１２０の少なくとも一方に、紫外線から装着者Ｕを守るための紫外線通過防止手段を備えることができる。たとえば酸化チタンや特殊セラミックなどの金属微粒子をガーゼ生地に練りこむことで、紫外線を吸収するもしくは乱反射させ、装着者Ｕの肌の奥に紫外線が到達させないこともできる。これにより装着者Ｕの肌への刺激をより抑制することができる。
【００４６】
なお、図２では、マスク本体１１０に掛け紐１３０が環状に取り付けられた例で説明したが、マスク本体１１０の左右両端側の端辺の上部に紐状の上部掛け紐と、下部に紐状の下部掛け紐とを取り付け、上部掛け紐と下部掛け紐とを結ぶことで環状体を形成し、その環状体に装着者Ｕの耳を掛けることでガーゼマスク１００を装着者Ｕに装着することもできる。
【００４７】
このように紐状の上部掛け紐と下部掛け紐との結びつけることで、環状体の大きさを調節できるため、装着者の顔の大きさや耳の位置に合わせた環状体の大きさを上部掛け紐と下部掛け紐で形成することができる。これにより、装着者の顔の大きさや耳の位置に合わせて調節することができるガーゼマスク１００を形成することができる。
【００４８】
また、掛け紐１３０や上部掛け紐、下部掛け紐の材質は弾性と伸縮性を備えた例えばゴム材を選択することで、より装着者の顔にガーゼマスク１００を密着させることができる。
【００４９】
さらに掛け紐１３０や上部掛け紐、下部掛け紐を平ゴムにすることで、装着者Ｕの耳や顔への食い込みを抑制することができる。これにより、ガーゼマスク１００を装着した際の痛みをやわらげることができる。
【００５０】
図３は、本実施の形態の不織布マスクの一例を示す正面図である。
図３に示すように、不織布マスク２００は、マスク本体２１０、掛け紐２２０、プリーツ２３０、および形状保持部材２４０を備えている。
【００５１】
マスク本体２１０はウイルスや細菌などの微生物を含む小さな粒子を捕捉することが可能な厚みや空隙で繊維が絡み合わされた不織布で形成されており、マスク本体２１０には、左右幅方向の両端側にそれぞれ装着者Ｕの耳に掛けられる掛け紐２２０が取り付けられている。
また、マスク本体２１０は、マスク本体２１０の左右幅方向の一方側の端部付近から他端側の端部付近にかけて形成される複数のプリーツ２３０を備えている。
【００５２】
プリーツ２３０は、マスク本体２１０を構成する不織布を装着者Ｕと接する側と反対側にあたる外側に折り曲げられた外折部と、装着者Ｕと接する側にあたる内側に折り曲げられた内折部とが交互に組み合わせられることによって形成される。
【００５３】
マスク本体２１０は、プリーツ２３０を構成する外折部および内折部が折りたたまれており、プリーツ２３０が折りたたまれた矩形のマスク本体２１０の上下左右の４辺が、縫合や熱圧着などの接着手段で接着されている。
【００５４】
これにより、外折部および内折部によって折りたたまれたプリーツ２３０は、マスク本体２１０の中央付近では上下高さ方向に開くことができ、マスク本体２１０の左右両端側に近づくにつれて、折りたたまれたプリーツ２３０を上下高さ方向に開くことができなくなる。
【００５５】
不織布マスク２００は、マスク本体２１０に複数のプリーツ２３０を備えることで、プリーツ２３０がマスク本体２１０の中央付近でマスク本体２１０が大きく開くことができ、不織布マスク２００の中央部を前方に張り出すことができる。これにより、不織布マスク２００は、装着者Ｕの形状に合わせた立体形状を形成することができる。
【００５６】
形状保持部材２４０は、マスク本体２１０の左右幅方向に渡って上端付近に、所定の幅で埋め込まれた部材であって、所定の形状を保持するためのものである。
形状保持部材２４０の材質は、弾性変形が可能であって、変形後の形状を維持する材質で構成される。形状保持部材２４０の材質の例としては、ポリエチレン樹脂が挙げられる。
【００５７】
形状保持部材２４０は、複数のプリーツ２３０が折りたたまれた状態では、マスク本体２１０に沿って直線状の形状を保持しており、複数のプリーツ２３０が開いた状態では、装着者Ｕの顔の凹凸に沿った形状に合わせて曲げられ、その形状を保持することができる。
【００５８】
これにより、不織布マスク２００をガーゼマスク１００が有する不織布マスク収容部１２３に挿入する際は、直線状の形状を保持する形状保持部材２４０を装着者Ｕが把持してガーゼマスク１００に挿入することができるので容易に不織布マスク２００を不織布マスク収容部１２３に挿入することができる。
【００５９】
また、形状保持部材２４０が直線状に形状を保持することで、不織布マスク２００を平面に保持したままガーゼマスク１００が有する不織布マスク収容部１２３に挿入することができるので、ガーゼマスク１００が挿入維持の摩擦によってマスク本体２１０が折りたたまれることなくガーゼマスク１００が有する不織布マスク収容部１２３に挿入することができる。
【００６０】
図４は、不織布マスク収容部に不織布マスクを収容する様子を示す正面図である。
図４に示すように、不織布マスク２００は、ガーゼマスク１００に設けられた不織布マスク収容部１２３に収容される。
【００６１】
具体的には、まず装着者Ｕは一方側の持ち代部１１１を前面方向に押し込み、カバー部１２０をマスク本体１１０から離脱させ、マスク本体１１０とカバー部１２０との間に隙間を形成する。
【００６２】
次に、この隙間にガーゼマスク１００を差し込むことで、不織布マスク２００の左右幅方向の一方を容易に不織布マスク収容部１２３に挿入することができる。さらに装着者Ｕは、形状保持部材２４０を装着者Ｕが把持した状態でガーゼマスク１００の左右幅方向に不織布マスク２００を挿入することで、不織布マスク収容部１２３に不織布マスク２００を完全に挿入することができる。
【００６３】
上記のように、不織布マスク２００が有する形状保持部材２４０の長手方向に不織布マスク収容部１２３の開口部１２１を形成することで、装着者Ｕが形状保持部材２４０を把持した状態でガーゼマスク１００の左右幅方向に押し込むことができる。
【００６４】
形状保持部材２４０は直線状に形状が維持されているので、装着者Ｕは形状保持部材２４０の端部を把持して押し込むだけで、容易に不織布マスク２００の全体を不織布マスク収容部１２３に収容することができる。
【００６５】
図５は、不織布マスクを収容したガーゼマスクを装着した様子を示す斜視図である。
図５に示すように、不織布マスク２００を不織布マスク収容部１２３に収容した状態で、ここでは図示しない装着者Ｕの耳に掛け紐１３０を掛けることでガーゼマスク１００は装着者Ｕに装着される。
【００６６】
不織布マスク２００は不織布マスク収容部１２３の中に収容され、不織布マスク収容部１２３の中でプリーツ２３０をマスク本体２１０の中央付近でマスク本体２１０が大きく開くことで、不織布マスク２００の中央部を前方に張り出すことができる。これにより、不織布マスク２００は、装着者Ｕの形状に合わせた立体形状を形成することができる。
【００６７】
なおガーゼマスク１００のマスク本体１１０およびカバー部１２０の中央部の上下方向の高さを、マスク本体１１０の両側端部の高さよりも高くすることで、不織布マスク収容部１２３の中央部の空間が上下高さ方向に広がるので、不織布マスク収容部１２３に収容した不織布マスク２００を不織布マスク収容部１２３の中で容易に開くことができる。
【００６８】
なお、図５では不織布マスク２００が備える掛け紐２２０を不織布マスク収容部１２３の中に収容する図で説明しているが、掛け紐２２０を不織布マスク収容部１２３から出した状態、または掛け紐２２０を掛け紐１３０と共に装着者Ｕの耳に掛けることもできる。
【００６９】
また、本実施の形態では、不織布マスク２００を挿入するための開口部１２１を、不織布マスク収容部１２３の左右幅方向に形成し、ガーゼマスク１００の左右幅方向から不織布マスク２００を挿入する例で説明したが、この他にも開口部１２１を、不織布マスク収容部１２３の上下高さ方向に形成し、ガーゼマスク１００の上下高さ方向から不織布マスク２００を挿入することもできる。
【００７０】
また、不織布マスク収容部１２３に開口部１２１を設けるのではなく、カバー部１２０とマスク本体１１０とを、たとえばボタンや面ファスナーなどの留め具で着脱自在に留めることで、カバー部１２０とマスク本体１１０との間に不織布マスク２００を収容するようにしてもよい。
【００７１】
また、本実施の形態では、ガーゼ生地で形成されたガーゼマスク１００の中に不織布マスク２００を収容する例で説明したが、装着者Ｕの肌への刺激を低減させた生地であればガーゼ以外の布マスクでもよく、またウイルスや細菌などの微生物を含む小さな粒子を捕捉できるのであれば不織布フィルターや、不織布以外のマスクやフィルターを布マスクの中に収容する構成にしてもよい。
【００７２】
また、上述の実施の形態に関し、さらに以下の付記を開示する。
（付記１）
洗浄により再利用可能な生地である洗浄再利用可能生地からなるマスク本体部と、
前記洗浄再利用可能生地からなるカバー部により前記マスク本体部の内側が覆われて、上下高さ方向の端辺が閉口されることで左右幅方向の端辺が開口された開口部を有し、前記開口部から前記マスク本体部と前記カバー部との間に交換可能に微生物を含む粒子を捕捉可能な不織布フィルターが収容される不織布フィルター収容部と、
を備えることを特徴とする再利用可能マスク。
（付記２）
前記不織布フィルターは、
弾性変形が可能で変形前後の形状を保持し、幅方向に渡って設けられた形状保持部材、  を備えることを特徴とする付記１記載の再利用可能マスク。
（付記３）
前記開口部から前記不織布フィルターの左右幅方向の一端側が、前記形状保持部材を軸材として収容されること、
を特徴とする付記２記載の再利用可能マスク。
（付記４）
前記不織布フィルターは、
幅方向にわたって外折部と内折部とを有する複数のひだ部と、
を備えることを特徴とする付記１記載の再利用可能マスク。
（付記５）
前記不織布フィルター収容部は、
収容された前記不織布フィルターが有する前記複数のひだ部を広げることが可能な高さ、
を備えることを特徴とする付記４記載の再利用可能マスク。
（付記６）
前記洗浄再利用可能生地は、
織物生地であること、
を特徴とする付記１記載の再利用可能マスク。
（付記７）
前記織物生地は、
ガーゼ生地であること、
を特徴とする付記６記載の再利用可能マスク。
（付記８）
前記マスク本体部は、
前記開口部よりも左右幅方向外側に突出した持ち代部、
を備えることを特徴とする付記１記載の再利用可能マスク。
（付記９）
前記マスク本体部は、
装着者の肌に紫外線が到達しないようにするための紫外線通過防止手段、
を備えることを特徴とする付記１記載の再利用可能マスク。
（付記１０）
前記マスク本体部の外側面に、広告を表示するための広告表示部、
を備えることを特徴とする付記１記載の再利用可能マスク。
（付記１１）
前記不織布フィルターは、
不織布マスクであることを特徴とする付記１記載の再利用可能マスク。
（付記１２）
洗浄により再利用可能な生地である洗浄再利用可能生地からなるマスク本体部と、
微生物を含む粒子を捕捉可能な不織布フィルターと、
前記洗浄再利用可能生地からなるカバー部により前記マスク本体部の内側が覆われて、上下高さ方向の端辺が閉口されることで左右幅方向の端辺が開口された開口部を有し、前記不織布フィルターが前記開口部から前記マスク本体部と前記カバー部との間に交換可能に収容される不織布フィルター収容部と、
を備えることを特徴とするマスク。
（付記１３）
洗浄により再利用可能な生地である洗浄再利用可能生地でマスク本体部を形成する工程と、
前記洗浄再利用可能生地からなるカバー部により前記マスク本体部の内側が覆われて、上下高さ方向の端辺が閉口されることで左右幅方向の端辺が開口された開口部を有し、前記開口部から前記マスク本体部と前記カバー部との間に交換可能に微生物を含む粒子を捕捉可能な不織布フィルターが収容される不織布フィルター収容部を形成する工程と、
を備えることを特徴とする再利用可能マスクの製造方法。
（付記１４）
洗浄により再利用可能な生地である洗浄再利用可能生地でマスク本体部を形成する工程と、
前記洗浄再利用可能生地からなるカバー部により前記マスク本体部の内側が覆われて、上下高さ方向の端辺が閉口されることで左右幅方向の端辺が開口された開口部で不織布フィルター収容部を形成する工程と、
微生物を含む粒子を捕捉可能な不織布フィルターを前記開口部から前記マスク本体部と前記カバー部との間に交換可能に収容する工程と、
を備えることを特徴とするマスクの製造方法。
【符号の説明】
【００７３】
１００  ガーゼマスク
１１０、２１０  マスク本体
１１１  持ち代部
１２０  カバー部
１２１  開口部
１２１Ａ  折返部
１２３  不織布マスク収容部
１３０、２２０  掛け紐
２００  不織布マスク
２３０  プリーツ
２４０  形状保持部材
Ｕ  装着者
【図１】
0003227229.tif 000003
【図２】
0003227229.tif 000004
【図３】
0003227229.tif 000005
【図４】
0003227229.tif 000006
【図５】
0003227229.tif 000007